(57)【要約】【課題】撮像画像のコントラストを向上させる。【解決手段】本発明の撮像装置１は、第１の光を出力する第１光源部２と、前記第１の光より波長が長い第２の光を出力する第２光源部３と、対象物が接触する接触面を有する光学素子４と、前記第１の光および前記第２の光が照射された対象物を前記光学素子４を通して撮像する第１撮像部５とを備える。【選択図】図１
2020086749.tif 000002
【特許請求の範囲】
【請求項１】
第１の光を出力する第１光源部と、
前記第１の光より波長が長い第２の光を出力する第２光源部と、
対象物が接触する接触面を有する光学素子と、
前記第１の光および前記第２の光が照射された対象物からの光線を前記光学素子を通して検出する第１撮像部と
を備える撮像装置。
【請求項２】
前記第２の光が前記接触面上の周辺部から前記対象物へ照射される
請求項１に記載の撮像装置。
【請求項３】
前記光学素子はプリズムであって、このプリズムは前記接触面と所定のなす角で交わる交わり面を有し、
前記第１撮像部が前記交わり面側から前記対象物を撮像する
請求項１または２のいずれか１項に記載の撮像装置。
【請求項４】
前記なす角が鋭角である
請求項３に記載の撮像装置。
【請求項５】
前記光学素子が前記接触面に対向する対向面を有し、
前記第１の光が前記対向面側から前記対象物を照射される
請求項１から４のいずれか１項に記載の撮像装置。
【請求項６】
前記対向面側から前記対象物を撮像する第２撮像部をさらに備える
請求項５に記載の撮像装置。
【請求項７】
前記第１の光が可視光成分を多く含み、
前記第２の光が赤外線成分を多く含む
請求項１から６のいずれか１項に記載の撮像装置。
【請求項８】
前記第１の光と第２の光とを同時に点灯させ、
前記第１の撮像部による撮像と第２の撮像部による撮像とをタイミングをずらして行うことを特徴とする請求項６または７のいずれか１項に記載の撮像装置。
【請求項９】
前記第１の光と第２の光とを同時に点灯させ、
前記第１の撮像部による撮像と第２の撮像部による撮像とを同時に行うことを特徴とする請求項６または７のいずれか１項に記載の撮像装置。
【請求項１０】
第１の光を出力する第１光源部と、
前記第１の光より波長が長い第２の光を出力する第２光源部と
を用いて、
第１撮像部によって、前記第１の光および前記第２の光が照射された対象物を撮像する
撮像方法。
【発明の詳細な説明】
【技術分野】
【０００１】
本発明は、撮像装置および撮像方法に関する。
【背景技術】
【０００２】
特許文献１は、光源から指に照射されて指の中で拡散し、反射した光線から指紋の画像を取得する指紋入力装置を示す。特許文献１に記載されている指紋入力装置では、指が載せられる、光透過性プレートの周囲に透過光源としてＬＥＤ（Light emitting diode発光ダイオード）が配置されている。
【先行技術文献】
【特許文献】
【０００３】
【特許文献１】特開２００３−２１６９３９号公報
【発明の概要】
【発明が解決しようとする課題】
【０００４】
特許文献１に記載されている判定装置では、透過光画像において中央部が周辺部に比べて暗くなりやすいという傾向がある。そのため、指紋全体にわたってコントラストが高い、指紋照合に有利な画像を取得することが難しい場合があるという課題がある。
【０００５】
本発明は、上記事象に鑑みてなされたものであり、撮像画像のコントラストを向上させることができる撮像装置および撮像方法を提供することを目的とする。
【課題を解決するための手段】
【０００６】
上記課題を解決するため、本発明の一態様は、第１の光を出力する第１光源部と、前記第１の光より波長が長い第２の光を出力する第２光源部と、対象物が接触する接触面を有する光学素子と、前記第１の光および前記第２の光が照射された対象物を前記光学素子を通して撮像する第１撮像部とを備える撮像装置である。
【０００７】
また、本発明の一態様は、第１の光を出力する第１光源部と、前記第１の光より波長が長い第２の光を出力する第２光源部とを用いて、第１撮像部によって、前記第１の光および前記第２の光が照射された対象物を撮像する撮像方法である。
【発明の効果】
【０００８】
本発明の各態様によれば、撮像画像のコントラストを向上させることができる。
【図面の簡単な説明】
【０００９】
【図１】本発明の最少構成例を示す概略構成図である。
【図２】本発明の第１実施形態に係る撮像装置１の構成例を示す模式図である。
【図３】図２に示す撮像装置１の構成例を示す斜視図である。
【図４】図２に示す撮像装置１の動作例を説明するための模式図である。
【図５】図２に示す撮像装置１の動作例を説明するための模式図である。
【図６】図２および図３に示す撮像装置１により測定された画像およびその信号波形の例を示す図である。
【図７】図６に示す画像中の方向の説明図である。
【発明を実施するための形態】
【００１０】
以下、図面を参照して本発明の実施形態について説明する。図１は、本発明の一実施形態に係る撮像装置の最少構成例を示す概略構成図である。図１に示す撮像装置１は、第１光源部２と、第２光源部３と、光学素子４と、第１撮像部５を備える。第１光源部２は、第１の光を出力する。第２光源部３は、第１の光より波長が長い第２の光を出力する。光学素子４は、撮像の対象物が接触する接触面を有する。第１撮像部５は、第１の光および第２の光が照射された対象物を光学素子４を通して撮像する。
【００１１】
図１に示す撮像装置１によれば、撮像の対象物からの光線を前記光学素子４を経由して第１撮像部へ導き、画像信号を得ることができる。ここで、第２光源部３から出力される第２の光は、第１光源部２から出力される第１の光と比べて、より透過性が高いので、第１の光で明るくし難い対象物の部分を第２の光で明るくすることができる。よって、撮像装置１によれば、撮像画像のコントラストを向上させることができる。
【００１２】
次に、図２を参照して、図１に示す撮像装置１の第１実施形態について説明する。図２は、図１に示す撮像装置１の第１実施形態を模式的に示す正面図である。図２において図１に示す構成に対応する構成には同一の符号を付けている。図２に示す例では、撮像の対象物を指端部（人の指の端部）７としている。撮像装置１は、指端部７の腹面にある指紋を、生体認証用の身体的特徴として撮像することを一つの目的とする。ただし、撮像装置１の撮像の対象物は、指端部に限らず、手のひら等であってもよい。すなわち、撮像装置１は、掌紋等の他の生体認証用の身体的特徴を撮像することを一つの目的とするものであってもよく、例えば、指の付け根、指端部から指の付け根までの任意の位置、指全体等を採用することができる。また、指先以外の部位の画像を用いる場合、指紋以外の特徴、例えば皮膚のしわの模様の画像を用いるようにしても良い。なお、撮像装置１による画像の取得の対象物は、身体の一部に限定されない。
【００１３】
図２に示す例では、撮像装置１は、図１に示す第１光源部２、第２光源部３、光学素子４、および第１撮像部５に加えて、第２撮像部６を備える。
図示例において光学素子として用いられるプリズム４は、対象物である指端部７が接触する接触面４ａと、接触面４ａと所定の角度θ１で交わる交わり面４ｂと、接触面４ａに対向する対向面４ｃと、面４ｄを有する。この例のプリズム４は、屈折率が空気と異なる多面体（例えば六面体）であり、例えば、ガラス、水晶等で形成することができる。また、図２に示す例では、構成面間がなす角度θ１は鋭角である。ただし、角度θ１は、鋭角に限らず、鈍角や直角であってもよい。また、対向面４ｃは、接触面４ａと平行であってもよいし、平行でなくてもよい。また、交わり面４ｂと対向する面４ｄには、画像のコントラストを高めるため、黒板４１が貼り付けてある。ただし、面４ｄには、黒板４１に代えて、黒色塗料等が塗布されていてもよい。なお光学素子４は、プリズムに限るものではなく、対象物へ光源からの光線を導き、また、対象物からの光線を撮像装置１へ導くことのできるレンズ、反射鏡、光ファイバー、またはこれらの組み合わせであっても良い。
なお、図３に示す第２撮像部５の配置では、前記構成面間がなす角θ１が鋭角であるが、なす角θ１は、鋭角に限らず、例えば、第２撮像部５を下方に配置する場合等、撮像部の配置によっては、鈍角や直角とすることもあり得る。
【００１４】
第１光源部２は、光学素子４の下方に設けられ、白色ＬＥＤ（Light emitting diode発光ダイオード）等の可視光ＬＥＤ２ａを有していて、第１の光Ｌ１を図２の上方へ向けて出力する。この場合、第１の光Ｌ１は、波長が３８０〜８００ｎｍ程度の可視光成分を多く含む。また、図２に示す例では、可視光ＬＥＤ２ａが出力した第１の光Ｌ１は、光学素子４の対向面４ｃ側から対象物である指端部７へ照射される。
【００１５】
第２光源部３は、光学素子４上の接触面４ａに設けられ、複数の赤外線ＬＥＤ３ａおよび３ｂを有していて、第１の光Ｌ１より波長が長い第２の光Ｌ２を前記接触面４ａに沿って、指端部７へ向けて出力する。この場合、第２の光Ｌ２は、波長が８００ｎｍ〜１０００ｎｍ程度の赤外線成分を多く含む。また、図２に示す例では、赤外線ＬＥＤ３ａおよび３ｂが出力した第２の光Ｌ２が接触面４ａ上の周辺部から対象物である指端部７へ照射される。
【００１６】
第１撮像部５は、交わり面４ｂ側から対象物である指端部７を撮像する。第１撮像部５は、ＣＭＯＳ（Complementary metal oxide semiconductor 相補型金属酸化膜半導体）イメージセンサ、ＣＣＤ（Charge coupled device電荷結合素子）イメージセンサ等の撮像素子を有し、入力された可視光成分と赤外線成分を画像信号に変換して出力する。この場合、第１撮像部５は、第１の光Ｌ１と第２の光Ｌ２に対して高感度である（第１の光Ｌ１と第２の光Ｌ２に対して所定の感度を有する）。
【００１７】
第２撮像部６は、対向面４ｃ側から対象物である指端部７を撮像する。第２撮像部６は、ＣＭＯＳイメージセンサ、ＣＣＤイメージセンサ等の撮像素子と、赤外線カットフィルターを有し、入力された可視光成分を画像信号に変換して出力する。この場合、第２撮像部６は、  第２の光Ｌ２に対して低感度である（第１の光Ｌ１に対して所定の感度を有し、第２の光Ｌ２に対して所定の感度を有さない）。ただし、第２撮像部６は、赤外線カットフィルターを有せず、例えば、画像処理等によって赤外線カットフィルターを設けた場合と同等の効果を得るようにしてもよい。
【００１８】
図３は、図２に示す撮像装置１の各部の配置例を模式的に示す斜視図である。図３において図２に示す構成に対応する構成には同一の符号を付けている。図３に示す撮像装置１では、第１光源部２が、光学素子としてのプリズム４の対向面４ｃ側に配置された４個の白色ＬＥＤ２ａ、２ｂ、２ｃおよび２ｄから構成されている。４個の白色ＬＥＤ２ａ、２ｂ、２ｃおよび２ｄは、プリズム４の対向面４ｃ側を固定する基板４３に搭載されている。また、第２光源部３は、プリズム４の接触面４ａ上の周辺部に配置された８個の赤外線ＬＥＤ３ａ、３ｂ、３ｃ、３ｄ、３ｅ、３ｆ、３ｇおよび３ｈから構成されている。８個の赤外線ＬＥＤ３ａ、３ｂ、３ｃ、３ｄ、３ｅ、３ｆ、３ｇおよび３ｈは、プリズム４の接触面４ａ側を固定する基板４２に搭載されている。なお、ＬＥＤの個数は図３に示す例に限定されない。
【００１９】
次に、図２に示すプリズム４内の各光路について、図４と図５を参照して説明する。図４は、図２に示す接触面４ａと指端部７を拡大して示す模式図である。図５は、図２に示すプリズム４と指端部７を拡大して示す模式図である。上述したように、本実施形態の撮像装置１は、生体的特徴の一つである指紋を撮像することを一つの目的とする。指紋は、指端部７の腹面７ａの凹凸（谷線部７２および隆線部７１）の組み合わせで構成される。第１光源部２が出力した第１の光Ｌ１は、接触面４ａに設置された隆線部７１および谷線部７２によって反射されてプリズム４へ入射する。また、第２光源部３が出力した第２の光Ｌ２は、指端部７を透過し、接触面４ａに設置された隆線部７１および谷線部７２から出射されて、接触面４ａからプリズム４へ入射する。
【００２０】
図４に示すように、指端部７の隆線部７１は接触面４ａと接触しているので、隆線部７１から入射または隆線部７１で反射された光の屈折率はプリズム４（ガラス等）の屈折率とほぼ同じである。よって、隆線部７１から出射または隆線部７１によって反射された光は、接触面４ａで反射された光と同様に考えることができ、鎖線の矢印で示すようにプリズム４内のほぼ全方位にほぼ均等に放射され、接触面４ａより下側のすべての領域に達することができる。
【００２１】
一方、谷線部７２は接触面４ａとは接触しておらず、谷線部７２と接触面４ａとの間には空気層８がある。したがって、谷線部７２からの出射光または谷線部７２での反射光は、空気層８を介して接触面４ａに入射する。ここで、空気の屈折率は１．０、ガラスは、一般に１．５前後で１．３〜２．０の範囲、１．３〜１．５、水分と皮膚は１．３〜１．４で屈折率に違いがあるため、谷線部７２からの出射光および反射光は隆線部７１の出射光および反射光とは異なる屈折現象が生じ、全方位に放射されない。また、入射角より屈折角が小さくなるので、谷線部７２からの出射光および谷線部７２での反射光は破線の矢印で示すようにプリズム４内の下向きへの光に偏ることになる。
【００２２】
図４を参照して説明したように、隆線部７１からの光は接触面４ａから全方位にほぼ均等に放射され、谷線部７２からの光は接触面４ａから下向きの方向へ偏って放射される。また、谷線部７２からの光は下向きの方向へ偏って放射されるため、図５に示すように、隆線部７１からの光と比較して交わり面４ｂへの入射角が大きくなる。そのため、隆線部７１からの光と比較して、谷線部７２からの光は、入射角が臨界角を超える割合が大きくなり、交わり面４ｂで全反射される割合が大きくなる。そのため、交わり面４ｂ側から指端部７を撮像する第１撮像部５へは、隆線部７１からの光の方が、谷線部７２からの光より多く到達する。したがって第１撮像部５が撮像する画像は、隆線部７１が明るく、谷線部７２が暗い画像となり、コントラストの高い指紋画像（以下、ハイコントラスト画像と表現する）となる。また、撮像の際、指端部７は、第１の光Ｌ１で対向面４ｃ側から照射されるとともに、第２の光Ｌ２で接触面４ａの周辺部から照射される。この場合、第１の光Ｌ１が到達し難い指端部７の周辺部を第２の光Ｌ２で明るくことができる。よって、第１撮像部５は、指紋全体が適切に照明された状態で指紋を撮像することができる。したがって、本実施形態によれば、指紋画像の全体にわたってコントラストを高くすることができる。
【００２３】
一方、対向面４ｃ側から指端部７を撮像する第２撮像部６へは、隆線部７１からの光と谷線部７２からの光が、第１撮像部５への到達割合と比較して、おおむね均等な割合で到達する。この第２撮像部６が撮像する画像は接触面４ａに設置された指端部７を対向面４ｃから直視するものと同様な画像となる。また、第２撮像部６が撮像した画像は、赤外線成分が抑制された画像である。したがって、第２撮像部６で撮像される画像は、指端部７の自然な画像（以下、自然画像と記載する）となる。ただし、上述したように、第２撮像部６が撮像した画像の用途によっては赤外線成分を抑制しなくてもよい。
【００２４】
第１撮像部５で撮像されたハイコントラスト画像は例えば指紋照合に使用される。その際、第１撮像部５は、特徴点が多く存在するように、より広いエリアの指紋画像を撮像することが望ましい。本実施形態では、第１撮像部５が全体にわたってコントラストが高い指紋画像を撮像することができるので、例えば指紋照合の精度を容易に高めることができる。一方、第２撮像部６が撮像する自然画像は例えば偽物か本物が判断するために使用される。
【００２５】
以上のように、本実施形態の撮像装置１によれば、特徴点が多く存在する指紋画像のうち、より広いエリアを高いコントラストで撮像することができるとともに、例えば偽造を見破るための自然画像を同時に撮像することができる。
【００２６】
なお、図２に示すように、本実施形態の撮像装置１は、第１の光Ｌ１を出力する第１光源部２と、第１の光Ｌ１より波長が長い第２の光Ｌ２を出力する第２光源部３と、指端部７等の対象物が接触する接触面４ａを有するプリズム４と、第１の光Ｌ１および第２の光Ｌ２が照射された対象物をプリズム４を通して撮像する第１撮像部５とを備える。この構成によれば、第１の光Ｌ１と比べて第２の光Ｌ２がより透過性が高いので、第１の光Ｌ１で明るくしづらい部分を第２の光Ｌ２で明るくすることができ、コントラストの高い画像を撮像することができる。
【００２７】
また、本実施形態の撮像装置１は、第２の光Ｌ２が接触面４ａ上の周辺部から対象物へ照射される。この構成によれば、対象物の周辺部を第２の光Ｌ２で効率的に照射することができる。
【００２８】
また、本実施形態の撮像装置１は、プリズム４が、接触面４ａと所定の角度θ１で交わる交わり面４ｂを有し、第１撮像部５が交わり面４ｂ側から対象物を撮像する。この構成によれば、第１撮像部５によってハイコントラスト画像を撮像することができる。
【００２９】
また、本実施形態の撮像装置１は、角度θ１が鋭角である。この構成によれば、接触面４ａを広くしてもプリズム４を小型化しやすい。
【００３０】
また、本実施形態の撮像装置１は、プリズム４が接触面４ａに対向する対向面４ｃを有し、第１の光Ｌ１が対向面４ｃ側から対象物へ照射される。この構成によれば、第１の光Ｌ１で対象物の全体へ均一的に照射することができる。
【００３１】
また、本実施形態の撮像装置１は、対向面４ｃ側から対象物を撮像する第２撮像部６を備える。この構成によれば、第１撮像部５でハイコントラストな画像を撮影し、同時に、第２撮像部６で自然画像を撮影することができる。
【００３２】
また、本実施形態の撮像装置１は、第１撮像部５が第１の光Ｌ１と第２の光Ｌ２に対して高感度であり、第２撮像部６が第２の光Ｌ２に対して低感度である。第１撮像部５でハイコントラストな画像を撮影し、同時に、第２撮像部６でより色の再現性が高い自然画像を撮影することができる。
【００３３】
また、本実施形態の撮像装置１は、第１の光Ｌ１が可視光成分を多く含み、第２の光Ｌ２が赤外線成分を多く含む。この構成によれば、第１の光Ｌ１と比べて第２の光Ｌ２がより透過性が高いので、第１の光Ｌ１で明るくしづらい部分を第２の光Ｌ２で明るくすることができる。
【００３４】
次に、図６および図７を参照して、上記実施形態の撮像装置１でハイコントラスト画像を実際に撮像した結果について説明する。図６は、図３に示す撮像装置１において、４個の白色ＬＥＤ２ａ〜２ｄを点灯し、８個の赤外線ＬＥＤ３ａ〜３ｈの通電電流Ｉを変化させて第１撮像部５で撮像した画像と輝度値の計測結果を示す。図６（ａ）は、通電電流Ｉを０ｍＡ（消灯）として撮像した画像と、当該画像における図７に示す３方向Ｄ１、Ｄ２およびＤ３の位置による輝度値の変化を任意単位で示す。図６（ｂ）は、通電電流Ｉを６ｍＡとして撮像した画像と、当該画像における図７に示す３方向Ｄ１、Ｄ２およびＤ３の位置による輝度値の変化を任意単位で示す。図６（ｃ）は、通電電流Ｉを１３ｍＡとして撮像した画像と、当該画像における図７に示す３方向Ｄ１、Ｄ２およびＤ３の位置による輝度値の変化を任意単位で示す。図６（ｄ）は、通電電流Ｉを２０ｍＡとして撮像した画像と、当該画像における図７に示す３方向Ｄ１、Ｄ２およびＤ３の位置による輝度値の変化を任意単位で示す。図６（ａ）に示す８個の赤外線ＬＥＤ３ａ〜３ｈを消灯（Ｉ＝０ｍＡと）した場合と比較して、図６（ｄ）に示す通電電流Ｉを２０ｍＡとした場合は各方向Ｄ１〜Ｄ３においてコントラスト（最明部と最暗部との明るさの比）が１０％〜２０％程度向上している。
なお、直視画像とコントラストのカメラを区別し、プリズム形状を変えて赤外カメラを配置することで、指と赤外カメラの光路長が短くなり、指紋を画角一杯に（大きく）撮影することが容易になることで、指紋が高解像で撮影できるという効果も実現できる。
【００３５】
上記撮像装置における、第１撮像部５、第２撮像部６による撮像のタイミングと撮像の際の第１の光Ｌ１、第２の光Ｌ２の発光のタイミングとの組み合わせは、実施形態の他、下記のようなタイミングを採用しても良い。
第２撮像部６による自然画像の撮影と第１撮像部５によるハイコントラスト画像の撮影との前後を入れ替えても良い。また、この撮像に際して前記白色ＬＥＤ２ａ〜２ｄと赤外線ＬＥＤ３ａ〜３ｈとを同時に点灯し、あるいは、この同時点灯中に、第２撮像部６による自然画像の撮影をした後、第１撮像部５による撮影をし、あるいはこの逆の順序で撮影しても良い。
また、第１撮像部５と第２撮像部６との撮影を同時に行っても良い。また、この撮影に際して、前記白色ＬＥＤ２ａ〜２ｄと赤外線ＬＥＤ３ａ〜３ｈとを同時に点灯しても良い。
このように、撮影と点灯とのタイミングを適宜組み合わせることにより、前記白色ＬＥＤ２ａ〜２ｄと赤外線ＬＥＤ３ａ〜３ｈと点灯時間を短縮し、あるいは点滅回数を削減することができる。また、上記点灯、撮像のタイミングは、装置の使用態様に拠り、必要に応じて最適な組み合わせを採用することができる。
【００３６】
以上、この発明の実施形態について図面を参照して説明してきたが、具体的な構成は上記実施形態に限られるものではなく、この発明の要旨を逸脱しない範囲の設計変更等も含まれる。
【００３７】
上記の実施形態の一部又は全部は、以下のようにも記載されうるが、以下には限られない。
【００３８】
（付記１）
第１の光を出力する第１光源部と、
前記第１の光より波長が長い第２の光を出力する第２光源部と、
対象物が接触する接触面を有する光学素子と、
前記第１の光および前記第２の光が照射された対象物からの光線を前記光学素子を通して検出する第１撮像部と
を備える撮像装置。
【００３９】
（付記２）
前記第２の光が前記接触面上の周辺部から前記対象物へ照射される
付記１に記載の撮像装置。
【００４０】
（付記３）
前記光学素子はプリズムであって、このプリズムは前記接触面と所定のなす角で交わる交わり面を有し、
前記第１撮像部が前記交わり面側から前記対象物を撮像する
付記１または２のいずれかに記載の撮像装置。
【００４１】
（付記４）
前記なす角が鋭角である
付記３に記載の撮像装置。
【００４２】
（付記５）
前記光学素子が前記接触面に対向する対向面を有し、
前記第１の光が前記対向面側から前記対象物を照射される
付記１から４のいずれかに記載の撮像装置。
【００４３】
（付記６）
前記対向面側から前記対象物を撮像する第２撮像部をさらに備える
付記５に記載の撮像装置。
【００４４】
（付記７）
前記第１撮像部が前記第１の光と前記第２の光に対して高感度であり、
前記第２撮像部が前記第２の光に対して低感度である
付記６に記載の撮像装置。
【００４５】
（付記８）
前記第１の光が可視光成分を多く含み、
前記第２の光が赤外線成分を多く含む
付記１から７のいずれかに記載の撮像装置。
【００４６】
（付記９）
前記対象物が指端部である
請求項１から８のいずれかに記載の撮像装置。
【００４７】
（付記１０）
前記第１の光と第２に光とを同時に点灯させ、
前記第１の撮像部による撮像と第２の撮像部による撮像とをタイミングをずらして行うことを特徴とする付記６または７のいずれか記載の撮像装置。
【００４８】
（付記１１）
前記第１の光と第２の光とを同時に点灯させ、
前記第１の撮像部による撮像と第２の撮像部による撮像とを同時に行うことを特徴とする付記６または７のいずれかに記載の撮像装置。
【００４９】
（付記１２）
第１の光を出力する第１光源部と、
前記第１の光より波長が長い第２の光を出力する第２光源部と
を用いて、
第１撮像部によって、前記第１の光および前記第２の光が照射された対象物を撮像する撮像方法。
【符号の説明】
【００５０】
１  撮像装置
２  第１光源部
２ａ〜２ｄ  白色ＬＥＤ
３  第２光源部
３ａ〜３ｈ  赤外線ＬＥＤ
４  光学素子（プリズム）
４ａ  接触面
４ｂ  交わり面
４ｃ  対向面
５  第１撮像部
６  第２撮像部
７  指端部
Ｌ１  第１の光
Ｌ２  第２の光
【図１】
2020086749.tif 000003
【図２】
2020086749.tif 000004
【図３】
2020086749.tif 000005
【図４】
2020086749.tif 000006
【図５】
2020086749.tif 000007
【図６】
2020086749.tif 000008
【図７】
2020086749.tif 000009